(57)【特許請求の範囲】
【請求項１】
ケース本体と、
前記ケース本体内に収容され、相互に連動して回転する供給リールおよび巻取リールと、
前記ケース本体に形成された開口部から突出して取り付けられた転写ヘッドと、
剥離可能な塗膜面が外側になるようにして前記転写ヘッドに掛け回され、前記供給リールから繰り出されて前記転写ヘッドを経由して前記巻取リールに巻き取られる転写テープと、
幅方向の両側に形成された一対の側片部を介して前記ケース本体または前記転写ヘッドに回動自在に取り付けられ、前記転写ヘッドに掛け回された前記転写テープの未使用部分をカバー部で覆う第１の位置と、当該未使用部分を露出させる第２の位置とに回動するヘッドカバーと、
前記カバー部における前記一対の側片部よりも幅方向内側に形成された棒状の弾性変形部と、
前記ヘッドカバーが取り付けられた前記ケース本体または前記転写ヘッドにおける前記ヘッドカバーの回動領域上の回動軸周りに形成され、前記弾性変形部の変形量が最大となる最大変形部が前記ヘッドカバーの回動途中の１箇所に設けられて当該ヘッドカバーの回動時に前記弾性変形部が摺動して弾性変形し、前記弾性変形部が前記最大変形部よりも前記第１の位置側にある場合には前記第１の位置に、前記第２の位置側にある場合には前記第２の位置に、前記ヘッドカバーを付勢する付勢手段と、
を備えたことを特徴とする塗膜転写具。
【請求項２】
前記弾性変形部は、前記ヘッドカバーの回動軸に向かって延びて形成されたアーム部であり、
前記付勢手段は、前記弾性変形部を前記ヘッドカバーの前記回動軸の軸方向に弾性変形させる段差部である、
ことを特徴とする請求項１記載の塗膜転写具。
【請求項３】
前記弾性変形部は、前記ヘッドカバーの回動軸に沿って延びて形成されたアーム部であり、
前記付勢手段は、前記弾性変形部を前記ヘッドカバーの回動軸の直交軸方向に弾性変形させる面状部である、
ことを特徴とする請求項１記載の塗膜転写具。
【請求項４】
前記弾性変形部の基部は、湾曲した形状に切り欠かれている、
ことを特徴とする請求項１〜３の何れか一項に記載の塗膜転写具。
【発明の詳細な説明】
【技術分野】
【０００１】
本発明は、転写テープに塗布された塗膜を被転写体に転写する塗膜転写具に関するものである。
【背景技術】
【０００２】
例えば紙面に書かれた文字などに修正用の塗膜を転写するためのツールとして、あるいは、例えば紙面に糊状の塗膜を転写するためのツールとして、塗膜転写具が知られている。
【０００３】
この塗膜転写具は、相互に連動して回転する供給リールと巻取リールとがケース内に収容され、２つの端部が供給リールと巻取リールとにそれぞれ固定された転写テープがケースの先端に形成された開口部から突出して取り付けられた転写ヘッドに掛け回された構造となっている。
【０００４】
そして、使用時においては、ケースを把持して転写ヘッドを用紙などの被転写体に押し付けながら当該被転写体に沿って移動させることにより、供給リールから繰り出された転写テープに塗布された塗膜が被転写体に転写され、塗膜のなくなった転写後の転写テープが巻取リールに巻き取られるようになっている。
【０００５】
ここで、転写ヘッドでは転写テープが露出しているために、塗膜転写具を使用しないときに、転写ヘッドに掛け回された転写テープの未使用部分に塵埃等が付着したり塗膜が剥落したりするおそれがある。そこで、このような事態を防止するために、当該部分を覆うためのカバーであるヘッドカバーを、転写テープの未使用部分を覆う第１の位置と、未使用部分を露出させる第２の位置とに回動可能に取り付けたものが提案されている。
【０００６】
このようなヘッドカバーが取り付けられた塗膜転写具としては、例えば特許文献１（特開２００９−０２９０５３号公報）に記載されたものがある。当該公報には、回動するヘッドカバーの取付軸部（枢着軸部）に設けられた付勢機構により、この付勢機構の一方を弾性変形させてヘッドカバーを第１の位置（閉止位置）と第２の位置（開成位置）とに選択的に付勢する技術が開示されている。
【先行技術文献】
【特許文献】
【０００７】
【特許文献１】特開２００９−０２９０５３号公報
【発明の概要】
【発明が解決しようとする課題】
【０００８】
ここで、特許文献１に記載のように、回動するヘッドカバーの取付軸部にさらに付勢機構を設け、取付軸部が回動と付勢という２つの機能を備えるようにすると、当該取付軸部の構造が複雑になる。すると、ヘッドカバーが第１の位置と第２の位置とに回動する動作を何度も繰り返したときに取付軸部に摩耗や変形が生じやすくなり、回動動作が不安定になるおそれが考えられる。
【０００９】
本発明は、上述の技術的背景からなされたものであって、回動するヘッドカバーの取付軸部の構造を複雑化することなく、転写テープの未使用部分を覆う第１の位置と未使用部分を露出させる第２の位置とに付勢されるヘッドカバーを備えた塗膜転写具を提供することを目的とする。
【課題を解決するための手段】
【００１０】
上記課題を解決するため、請求項１に記載の本発明の塗膜転写具は、ケース本体と、前記ケース本体内に収容され、相互に連動して回転する供給リールおよび巻取リールと、前記ケース本体に形成された開口部から突出して取り付けられた転写ヘッドと、剥離可能な塗膜面が外側になるようにして前記転写ヘッドに掛け回され、前記供給リールから繰り出されて前記転写ヘッドを経由して前記巻取リールに巻き取られる転写テープと、幅方向の両側に形成された一対の側片部を介して前記ケース本体または前記転写ヘッドに回動自在に取り付けられ、前記転写ヘッドに掛け回された前記転写テープの未使用部分をカバー部で覆う第１の位置と、当該未使用部分を露出させる第２の位置とに回動するヘッドカバーと、前記カバー部における前記一対の側片部よりも幅方向内側に形成された棒状の弾性変形部と、前記ヘッドカバーが取り付けられた前記ケース本体または前記転写ヘッドにおける前記ヘッドカバーの回動領域上の回動軸周りに形成され、前記弾性変形部の変形量が最大となる最大変形部が前記ヘッドカバーの回動途中の１箇所に設けられて当該ヘッドカバーの回動時に前記弾性変形部が摺動して弾性変形し、前記弾性変形部が前記最大変形部よりも前記第１の位置側にある場合には前記第１の位置に、前記第２の位置側にある場合には前記第２の位置に、前記ヘッドカバーを付勢する付勢手段と、を備えたことを特徴とする。
【００１１】
請求項２に記載の塗膜転写具は、上記請求項１に記載の発明において、前記弾性変形部は、前記ヘッドカバーの回動軸に向かって延びて形成されたアーム部であり、前記付勢手段は、前記弾性変形部を前記ヘッドカバーの前記回動軸の軸方向に弾性変形させる段差部である、ことを特徴とする。
【００１２】
請求項３に記載の塗膜転写具は、上記請求項１に記載の発明において、前記弾性変形部は、前記ヘッドカバーの回動軸に沿って延びて形成されたアーム部であり、前記付勢手段は、前記弾性変形部を前記ヘッドカバーの回動軸の直交軸方向に弾性変形させる面状部である、ことを特徴とする。
【００１３】
請求項４に記載の塗膜転写具は、上記請求項１〜３の何れか一項に記載の発明において、前記弾性変形部の基部は、湾曲した形状に切り欠かれている、ことを特徴とする。
【発明の効果】
【００１４】
ヘッドカバーを付勢する機構は、カバー部における一対の側片部よりも幅方向内側に形成された棒状の弾性変形部と、ヘッドカバーの回動軸の周りに形成されてヘッドカバーを第１の位置または第２の位置に選択的に付勢する付勢手段で構成されており、ヘッドカバーの取付軸部には設けられていない。よって、ヘッドカバーの取付軸部は回動という単一の機能だけを備えることになり、ヘッドカバーの取付軸部の構造が複雑化することがなくなる。
【００１５】
これにより、ヘッドカバーが第１の位置と第２の位置とに回動する動作を頻繁に繰り返しても、取付軸部には摩耗や変形は生じにくくなり、ヘッドカバーの回動動作が安定化する。
【図面の簡単な説明】
【００１６】
【図１】本発明の第１の実施の形態に係る塗膜転写具の斜視図である。
【図２】図１の塗膜転写具の分解斜視図である。
【図３】第１の実施の形態に係る塗膜転写具において、ヘッドカバーが第１の位置にある状態を斜め下方から示す斜視図である。
【図４】第１の実施の形態に係る塗膜転写具において、ヘッドカバーが第２の位置にある状態を斜め下方から示す斜視図である。
【図５】第１の実施の形態に係る塗膜転写具の要部であるヘッドカバーおよびその周辺部分を示す斜視図である。
【図６】第１の実施の形態に係る塗膜転写具の第１の位置におけるアーム部と段差部との位置関係を示す説明図である。
【図７】図６に示す位置からヘッドカバーが第２の位置に向けて回動したときのアーム部と段差部との位置関係を示す説明図である。
【図８】は図７に示す位置からヘッドカバーがさらに回動してアーム部が最大変形部に到達したときのアーム部と段差部との位置関係を示す説明図である。
【図９】図８に示す位置からヘッドカバーがさらに回動したときのアーム部と段差部との位置関係を示す説明図である。
【図１０】図９に示す位置からヘッドカバーがさらに回動して第２の位置となったときのアーム部と段差部との位置関係を示す説明図である。
【図１１】本発明の第２の実施の形態に係る塗膜転写具において、ヘッドカバーが第１の位置にある状態を斜め下方から示す斜視図である。
【図１２】第２の実施の形態に係る塗膜転写具において、ヘッドカバーが第２の位置にある状態を斜め下方から示す斜視図である。
【図１３】第２の実施の形態に係る塗膜転写具の要部であるヘッドカバーおよびその周辺部分を示す斜視図である。
【発明を実施するための形態】
【００１７】
以下、本発明の一例としての実施の形態について、図面に基づいて詳細に説明する。なお、実施の形態を説明するための図面において、同一の構成要素には原則として同一の符号を付し、その繰り返しの説明は省略する。
【００１８】
（第１の実施の形態）
【００１９】
図１は本発明の第１の実施の形態に係る塗膜転写具の斜視図、図２は図１の塗膜転写具の分解斜視図、図３は第１の実施の形態に係る塗膜転写具においてヘッドカバーが第１の位置にある状態を斜め下方から示す斜視図、図４は第１の実施の形態に係る塗膜転写具においてヘッドカバーが第２の位置にある状態を斜め下方から示す斜視図、図５は第１の実施の形態に係る塗膜転写具の要部であるヘッドカバーおよびその周辺部分を示す斜視図である。
【００２０】
本発明の一実施の形態である塗膜転写具は、修正用の塗膜や糊状の塗膜などが塗布された転写テープを紙面に転写するために用いられるものであり、図１および図２に示すように、長さ方向に沿って縦に２分割され、一体化してケース本体１を形成する第１のケース部１ａおよび第２のケース部１ｂを有している。
【００２１】
図２に示すように、第１のケース部１ａには、先端に嵌合穴３ａ−１，３ｂ−１，３ｃ−１，３ｄ−１，３ｅ−１を備えて第２のケース部１ｂに向けて延びる５本のシャフト３ａ，３ｂ，３ｃ，３ｄ，３ｅが一体形成されており、第２のケース部１ｂにおけるこれらシャフト３ａ〜３ｅに対応した位置には、嵌合突起（図示せず）が形成されている。したがって、シャフト３ａ〜３ｅの嵌合穴３ａ−１〜３ｅ−１に嵌合突起が嵌まり込むことにより第１のケース部１ａと第２のケース部１ｂとが一体となり、内部空間を有するケース本体１が形成される。
【００２２】
ケース本体１の先端には開口部４が形成されており、この開口部４から突出するようにして転写ヘッド５が取り付けられている。
【００２３】
なお、第１の実施の形態の塗膜転写具のケース本体１は無色透明なプラスチック製であり、よって図１においては内部の部材が透けて見えるが、図面が煩雑になるためにこれらの部材は図示を省略している。但し、ケース本体１は無色透明である必要はなく、有色透明や不透明であってもよく、また、ケース本体１の材質はプラスチックに限定されるものではない。
【００２４】
図２において、ケース本体１内には、相互に連動して回転する供給リール６および巻取リール７が収容されている。
【００２５】
ここで、後方に位置する供給リール６は後方側のシャフト３ａに回転自在に支持され、前方に位置する巻取リール７はシャフト３ａよりも前方側のシャフト３ｂに回転自在に支持されている。また、供給リール６の一方側には大径のギア８が取り付けられており、巻取リール７には小径のギア（図示せず）がギア８と同じ側に設けられている。
【００２６】
供給リール６のギア８と巻取リール７のギアとは間隔を開けて配置されており、これらのギア８の間に位置するようにして、中継ギア（図示せず）がケース本体１に回転自在に取り付けられている。中継ギアは大径のギア８および小径のギアと噛み合っており、よって、当該中継ギアを介して大径のギア８と小径のギアとが相互に結合（ギア結合）されている。これにより、供給リール６と巻取リール７とは連動して相互に同方向に回転する。
【００２７】
なお、巻取リール７には図示しないラチェット機構が設けられており、これにより供給リール６と巻取リール７とは一方向（図２に示す場合には、時計回りの方向）のみに回転し、逆方向には回転できないようになっている。
【００２８】
供給リール６には、転写テープＴが巻き回されている。この転写テープＴは、一方端が供給リール６に巻き付けられ、他方端が巻取リール７に巻き付けられており、修正用や糊状の剥離可能な塗膜面が外側になるようにして供給リール６から繰り出され、巻取リール７に巻き取られるようになっている。したがって、前述した供給リール６と巻取リール７とにおける一方向のみの回転方向とは、転写テープＴが繰り出される方向であり、また転写テープＴが巻き取られる方向である。
【００２９】
なお、図２に示すように、本実施の形態では、転写テープＴは供給リール６の下側から繰り出されて、巻取リール７の上側から巻き取られる走行経路となっていることから、供給リール６と巻取リール７とは相互に同方向に回転するようになっているが、走行経路が異なっていたり、供給リール６と巻取リール７との位置関係が逆になっていたりする場合には、供給リール６と巻取リール７とは相互に逆方向に回転する構造が採用されることがある。
【００３０】
また、本実施の形態では、供給リール６と巻取リール７とはギア結合により連動して回転するようになっているが、両者の機械的な結合形態はギアに限定されるものではなく、ベルトなどであってもよい。
【００３１】
供給リール６から繰り出された転写テープＴは転写ヘッド５に掛け回されており、この転写ヘッド５を経由して巻取リール７に巻き取られるようになっている。
【００３２】
なお、転写テープＴは、例えば、ポリエチレンテレフタレート、ポリプロピレン、ポリエチレン等のプラスチックフィルムまたは紙からなる厚さ３〜６０μｍの長尺状体の片面もしくは両面にシリコーン樹脂等の離型層を形成して基材とし、この基材の片面に、公知の方法で粘着剤等を塗布することにより作製される。粘着剤としては、アクリル樹脂系、ビニル樹脂系、ロジン系、ゴム系等の粘着剤、あるいはこれらの粘着剤に架橋剤、粘着付与剤、可塑剤、老化防止剤、充填剤、増粘剤、ｐＨ調整剤、消泡剤等の助剤を適宜配合したものが用いられる。具体的には、基材の片面に粘着層を設けたものが粘着テープ（テープ糊）、基材の片面に隠蔽力のある顔料とバインダとしての高分子樹脂等からなる隠蔽層を設け、その上に粘着層を設けたものが修正テープ、基材の片面に蛍光着色層を設け、その上に粘着層を設けたものが蛍光テープである。基材の片面に形成される層の厚さは、例えば、乾燥後において約０．３〜６０μｍである。
【００３３】
ここで、図２に詳しく示すように、前述したシャフト３ｃは、シャフト３ａとシャフト３ｂとの間で、且つケース本体１の底面に対して僅かな隙間を空けて形成されている。また、シャフト３ｄは、シャフト３ｂおよびシャフト３ｃよりも前方側で、やはり同様にケース本体１の底面に対して僅かな隙間を空けて形成されている。
【００３４】
転写テープＴはこれらの隙間に通された配置となっており、よって、供給リール６から繰り出されて転写ヘッド５へと至る走行経路は、ケース本体１の底面に沿った経路となっている。これにより、転写テープＴの走行経路と巻取リール７との間隔を広くとることができて、走行中の転写テープＴと巻取リール７に巻き取られる転写テープＴとの干渉が回避されることになる。
【００３５】
なお、巻取リール７には、一対の円板状のテープガイド７ａが、軸方向の両側に対向配置されている。このテープガイド７ａは巻き取られる転写テープＴの幅方向の自由な動きを規制するものであり、当該テープガイド７ａによって、塗膜転写後の転写テープＴは逸脱することなく巻取リール７に巻き取られる。
【００３６】
ケース本体１の先端に形成された開口部４に取り付けられた転写ヘッド５は、転写テープＴが掛け回されたヘッド本体部５ａと、ヘッド本体部５ａの両側において相互に対向して設けられた一対のガイド片５ｂとを備えている。
【００３７】
ヘッド本体部５ａの先端はガイド片５ｂから僅かに突出しており、転写ヘッド５を用紙などの被転写体に押し付けて塗膜を転写する際に、転写テープＴの掛け回されたヘッド本体部５ａが確実に被転写体に押し当てられるようになっている。ガイド片５ｂは、前述したテープガイド７ａと同様に、転写テープＴの幅方向の自由な動きを規制するものであり、このガイド片５ｂによって、塗膜を転写する転写テープＴはヘッド本体部５ａから逸脱することなく走行するようになる。
【００３８】
このような転写ヘッド５において、ヘッド本体部５ａの後方には固定部５ｃが形成され、固定部５ｃのさらに後方には、シャフト３ｅに嵌め込まれる孔５ｄ−１の形成された嵌込部５ｄが形成されている。
【００３９】
固定部５ｃの両側には突起片５ｃ−１が形成されており、固定部５ｃの先端下部が開口部４の下部に当たり、突起片５ｃ−１の側部および上部がケース本体１の側壁および当該ケース本体１の内側に突出して形成された規制片（図示せず）の下部にそれぞれ当たって横方向および上下方向が規制されるとともに、嵌込部５ｄの孔５ｄ−１がシャフト３ｅに嵌め込まれて前後方向が規制されることにより、転写ヘッド５がケース本体１の前述した位置に固定されている。
【００４０】
なお、本実施の形態においては、前述したヘッド本体部５ａおよびガイド片５ｂ、ならびに固定部５ｃおよび嵌込部５ｄは、相互に一体形成されている。但し、これらは別体となっていてもよい。
【００４１】
図１〜図４に示すように、ケース本体１の先端下部にはヘッドカバー１０が回動自在に取り付けられている。すなわち、ヘッドカバー１０の一方端において幅方向の両側に設けられた側片部１０ｃには、取付軸部を形成する一対の軸突起（図示せず）が互いに向かい合うようにして内側に形成されており、ケース本体１には、当該軸突起が嵌まり込む軸穴（図示せず）が形成されている。よって、側片部１０ｃでケース本体１を挟むようにして軸突起を軸穴に嵌め込むことにより、ヘッドカバー１０がケース本体１に対して回動自在となっている。
【００４２】
なお、このヘッドカバー１０は、転写ヘッド５に掛け回された転写テープＴの未使用部分（図１および図２において、ヘッド本体部５ａの下側に位置する部分）をカバー面（カバー部）１０ａで覆う第１の位置（図３に示す位置）と、未使用部分を露出させる第２の位置（図４に示す位置）とに回動するようになっている。
【００４３】
したがって、塗膜転写具を使用するときには、ヘッドカバー１０を第２の位置に回動して転写テープＴの未使用部分を露出させる一方、使用後はヘッドカバー１０を第１の位置に回動して転写テープＴの未使用部分を覆うことにより、その未使用部分に塵埃等が付着したり塗膜が剥落したりするのが防止される。
【００４４】
図３および図４に示すように、ヘッドカバー１０のカバー面１０ａには、ヘッドカバー１０の回動軸Ａに向かって延びるようにして、弾性変形可能なアーム部１１（弾性変形部）が形成されている。
【００４５】
また、ケース本体１には、ヘッドカバー１０の回動に伴って前述したアーム部１１が摺動することで当該アーム部１１を弾性変形させ、ヘッドカバー１０を前述した第１の位置および第２の位置に選択的に付勢する段差部１２（付勢手段）が、ヘッドカバー１０の回動領域上における回動軸Ａの周りに形成されている。
【００４６】
図３〜図５に示すように、この段差部１２は、回動軸Ａの軸方向に膨らむように長くなって回動軸Ａの周りに形成されており、摺動するアーム部１１をヘッドカバー１０の回動軸Ａの軸方向に弾性変形させるようになっている。また、段差部１２におけるヘッドカバー１０の回動途中の１箇所（本実施の形態では、回動領域のほぼ中央部）には、最も回動軸Ａの軸方向に膨らんだ箇所、すなわちアーム部１１の変形量（変形荷重）が最大となる最大変形部１２ａが形成されている。
【００４７】
したがって、弾性変形時においてアーム部１１が変形荷重を除荷して元の形状に戻ろうとする性質を利用することにより、アーム部１１が段差部１２の最大変形部１２ａよりも第１の位置側（転写テープＴの未使用部分をカバー面１０ａで覆う位置側）にある場合には、ヘッドカバー１０は第１の位置に付勢されることになる。一方、アーム部１１が段差部１２の最大変形部１２ａよりも第２の位置側（転写テープＴの未使用部分を露出させる位置側）にある場合には、ヘッドカバー１０は第２の位置に付勢されることになる。
【００４８】
なお、第１の位置では、ヘッドカバー１０の回動軸Ａの近傍に形成されたストッパ部１０ｂがケース本体１に当接することにより、第２の位置では、ヘッドカバー１０のカバー面１０ａがケース本体１に当接することにより、当該ヘッドカバー１０は確実に第１の位置または第２の位置にて保持される。
【００４９】
図５において詳しく示すように、アーム部１１の基部１１ａは湾曲に切り欠かれた形状となっている。このような形状にすることにより、アーム部１１が弾性変形したときに基部１１ａにかかる応力が分散されるので、基部１１ａにクラックが入ったり、アーム部１１が基部１１ａで折れ曲がったりしにくくなって耐久性が向上する。但し、アーム部１１の基部１１ａは湾曲形状に形成されていなくてもよい。
【００５０】
以上の構成を有する第１の実施の形態に係る塗膜転写具において、ヘッドカバー１０が第１の位置から第２の位置へと回動する際におけるアーム部１１の動きについて、図６〜図１０を用いて説明する。
【００５１】
ここで、図６は第１の実施の形態に係る塗膜転写具の第１の位置におけるアーム部と段差部との位置関係を示す説明図、図７は図６に示す位置からヘッドカバーが第２の位置に向けて回動したときのアーム部と段差部との位置関係を示す説明図、図８は図７に示す位置からヘッドカバーがさらに回動してアーム部が最大変形部に到達したときのアーム部と段差部との位置関係を示す説明図、図９は図８に示す位置からヘッドカバーがさらに回動したときのアーム部と段差部との位置関係を示す説明図、図１０は図９に示す位置からヘッドカバーがさらに回動して第２の位置となったときのアーム部と段差部との位置関係を示す説明図である。なお、これらの図面において、（ａ）はアーム部と段差部との位置関係をヘッドカバーの回動軸の軸方向の断面で示しており、（ｂ）はアーム部と段差部との位置関係をヘッドカバーの回動軸周りを平面に展開して示している。
【００５２】
図６に示す第１の位置は、前述のように、転写テープＴの未使用部分がヘッドカバー１０のカバー面１０ａで覆われている位置である。このとき、ヘッドカバー１０のアーム部１１は回動軸の周りに延びるように形成された段差部１２の一方の端部付近に位置しており、段差部１２によって僅かに弾性変形することにより、前述のように、ヘッドカバー１０のストッパ部１０ｂがケース本体１に当接している。なお、第１の位置では、アーム部１１は弾性変形しないようにしてもよい。
【００５３】
この第１の位置から、使用者が、アーム部１１の弾発力に抗してヘッドカバー１０を第２の位置に向けて回動させると、図７に示すように、アーム部１１は徐々に変形量を増しながら、最大変形部１２ａに向けて段差部１２を摺動していく。
【００５４】
そして、図８に示す位置、つまりアーム部１１が段差部１２の最大変形部１２ａとなった位置で、当該アーム部１１は最も大きく弾性変形して変形荷重が最大になる。なお、最大変形部１２ａにアーム部１１が到達する位置までは、第１の位置に戻ろうとするアーム部１１の弾発力に抗しながらヘッドカバー１０を回動させる。
【００５５】
続いて、アーム部１１が最大変形部１２ａを乗り越えて第２の位置側になると、図９に示すように、変形荷重を除荷しようとするアーム部１１の弾発力により、ヘッドカバー１０は第２の位置に向けて一気に回動する。したがって、図６に示す位置から図８に示す位置になるまでに必要であったヘッドカバー１０を第２の位置に向けて回動させるための使用者による力は不要になる。
【００５６】
そして、図１０に示す位置、すなわちヘッドカバー１０のアーム部１１が段差部１２の他方の端部付近となる第２の位置に到達したならば、ヘッドカバー１０のカバー面１０ａがケース本体１に当接して回動が停止し、転写テープＴの未使用部分が露出した状態になる。この第２の位置でも、ヘッドカバー１０のアーム部１１は段差部１２によって僅かに弾性変形することにより、ヘッドカバー１０のカバー面１０ａがケース本体１に当接している。但し、第２の位置でも、アーム部１１は弾性変形しないようにしてもよい。
【００５７】
なお、ヘッドカバー１０が第２の位置から第１の位置へと回動する場合には、アーム部１１の動く方向が図１０から図９、図８、図７、図６と逆になるだけで、アーム部１１の動き自体は第１の位置から第２の位置へと回動する場合と同様になる。
【００５８】
以上説明したように、本実施の形態の塗膜転写具によれば、段差部１２を摺動するアーム部１１が弾性変形することにより、ヘッドカバー１０を、転写テープＴの未使用部分を覆う第１の位置と未使用部分を露出させる第２の位置とに付勢することが可能になる。
【００５９】
このとき、本実施の形態の塗膜転写具では、ヘッドカバー１０のカバー面１０ａには、回動軸Ａに向かって延びるアーム部１１を形成し、ヘッドカバー１０の取り付けられたケース本体１には、アーム部１１を弾性変形させる段差部１２を、ヘッドカバー１０の回動領域上の回動軸Ａの周りにおいて当該回動軸Ａの軸方向に膨らむように形成している。そして、段差部１２を摺動するアーム部１１を弾性変形させるようにしてヘッドカバー１０を第１の位置および第２の位置に選択的に付勢している。
【００６０】
したがって、ヘッドカバー１０を付勢する機構は、ヘッドカバー１０のカバー面１０ａに形成されたアーム部１１とヘッドカバー１０の回動軸Ａの周りに形成された段差部１２で構成されており、回動するヘッドカバー１０の取付軸部には設けられていない。
【００６１】
よって、ヘッドカバー１０の取付軸部は、回動と付勢という２つの機能ではなく、回動という単一の機能だけを備えているので、ヘッドカバー１０を付勢する機構を備えつつも当該ヘッドカバー１０の取付軸部の構造が複雑化することがない。
【００６２】
これにより、ヘッドカバー１０が第１の位置と第２の位置とに回動する動作を頻繁に繰り返しても、取付軸部には摩耗や変形は生じにくくなり、ヘッドカバー１０の回動動作が安定化する。
【００６３】
また、このようにヘッドカバー１０の付勢機構は、ヘッドカバー１０のカバー面１０ａのアーム部１１とヘッドカバー１０の回動軸Ａの周りの段差部１２とで構成されている。したがって、段差部１２の回動軸Ａの軸方向に対する膨らみの形状を変えるだけで、アーム部１１の弾発力の調整を容易に行うことが可能になる。
【００６４】
（第２の実施の形態）
【００６５】
図１１は本発明の第２の実施の形態に係る塗膜転写具においてヘッドカバーが第１の位置にある状態を斜め下方から示す斜視図、図１２は第２の実施の形態に係る塗膜転写具において、ヘッドカバーが第２の位置にある状態を斜め下方から示す斜視図、図１３は第２の実施の形態に係る塗膜転写具の要部であるヘッドカバーおよびその周辺部分を示す斜視図である。
【００６６】
第２の実施の形態の塗膜転写具は、ヘッドカバー１０の付勢機構以外の部分は既に説明した第１の実施の形態の塗膜転写具と同様の構成になっている。したがって、以下においては、ヘッドカバー１０の付勢機構についてのみを説明し、同様の構成となっている部分の説明は省略する。
【００６７】
図１１〜図１３に示すように、第２の実施の形態においては、アーム部２１（弾性変形部）がヘッドカバー１０の回動軸Ａに沿って延びて形成されている。また、アーム部１１を摺動により弾性変形させてヘッドカバー１０を第１の位置および第２の位置に選択的に付勢する手段として、面状部２２（付勢手段）が、ヘッドカバー１０の回動領域上の回動軸Ａの周りに形成されている。この面状部２２は板カム(周縁カム)のカム面に相当するものであり、当該面状部２２におけるヘッドカバー１０の回動途中の１箇所（本実施の形態では、回動領域のほぼ中央部）には、アーム部２１の変形量（変形荷重）が最大となる最大変形部２２ａ（カムの頂点に相当する部分）が形成されている。
【００６８】
このような本実施の形態の塗膜転写具によれば、面状部２２を摺動するアーム部２１は、ヘッドカバー１０の回動軸Ａの直交軸方向に弾性変形されることになる。
【００６９】
ヘッドカバー１０を第１の位置から第２の位置へ回動させる場合、アーム部２１の弾発力に抗してヘッドカバー１０を回動させると、当該アーム部２１は徐々に変形量を増しながら面状部２２を摺動していく。そして、アーム部２１が面状部２２の最大変形部２２ａを乗り越えて第２の位置側になると、変形荷重を除荷しようとするアーム部２１の弾発力でヘッドカバー１０は一気に回動して第２の位置になる。
【００７０】
このような、第２の実施の形態の塗膜転写具でも、面状部２２を摺動するアーム部２１が弾性変形することにより、ヘッドカバー１０を第１の位置と第２の位置とに選択的に付勢することが可能になる。
【００７１】
そして、ヘッドカバー１０のカバー面１０ａには、回動軸Ａに沿って延びるアーム部２１を形成し、ヘッドカバー１０の取り付けられたケース本体１には、アーム部２１を弾性変形させる面状部２２を、ヘッドカバー１０の回動領域上の回動軸Ａの周りに形成している。
【００７２】
したがって、ヘッドカバー１０を付勢する機構は、ヘッドカバー１０のカバー面１０ａに形成されたアーム部２１とヘッドカバー１０の回動軸Ａの周りに形成された面状部２２で構成されており、回動するヘッドカバー１０の取付軸部には設けられていない。
【００７３】
よって、本実施の形態の塗膜転写具においても、ヘッドカバー１０の取付軸部は回動という単一の機能だけを備えることになり、ヘッドカバー１０を付勢する機構を備えつつも当該ヘッドカバー１０の取付軸部の構造が複雑化することがない。
【００７４】
これにより、ヘッドカバー１０が第１の位置と第２の位置とに回動する動作を頻繁に繰り返しても、取付軸部には摩耗や変形が生じにくくなり、ヘッドカバー１０の回動動作が安定化する。
【００７５】
また、ヘッドカバー１０の付勢機構は、ヘッドカバー１０のカバー面１０ａのアーム部２１とヘッドカバー１０の回動軸Ａの周りの面状部２２とで構成されている。したがって、面状部２２の形状（カム形状）を変えるだけで、アーム部２１の弾発力の調整を容易に行うことが可能になる。
【００７６】
以上本発明者によってなされた発明を実施の形態に基づき具体的に説明したが、本明細書で開示された実施の形態はすべての点で例示であって、開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈されるべきであり、特許請求の範囲の記載技術と均等な技術および特許請求の範囲の要旨を逸脱しない限りにおけるすべての変更が含まれる。
【００７７】
たとえば、本実施の形態では、ヘッドカバー１０はケース本体１に取り付けられているが、転写ヘッド５に取り付けるようにしてもよい。この場合、段差部１２や面状部２２といった付勢手段は、転写ヘッド５に形成されることになる。
【００７８】
また、段差部１２は、本願のように回動軸Ａの軸方向で高低差をつけて段差を形成するのではなく、摺動方向の両側を高くした溝形状にして段差を形成してもよい。
【００７９】
さらに、本実施の形態にて示したアーム部１１，２１は弾性変形部の一例であり、弾性変形が可能である限り、これらのアーム部１１，２１の形状に限定されるものではない。
【００８０】
また、本実施の形態では、弾性変形部であるアーム部１１，２１は１箇所に形成され、よって当該アーム部１１，２１を弾性変形させる付勢手段である段差部１２や面状部２２も１箇所に形成されているが、弾性変形部や付勢手段は複数箇所に形成してもよい。
【００８１】
この場合、付勢手段である段差部１２や面状部２２に設けられる最大変形部１２ａ，２２ａも段差部１２や面状部２２の数だけ存在することになる。すなわち、段差部１２や面状部２２が複数箇所に形成されれば、最大変形部１２ａ，２２ａも複数箇所に形成されることになる。但し、個々の段差部１２や面状部２２における最大変形部１２ａ，２２ａは、第１の位置と第２の位置とに回動するヘッドカバー１０の回動途中の１箇所に設けられることに変わりはない。
【産業上の利用可能性】
【００８２】
本発明の塗膜転写具は、粘着テープ、修正テープ、蛍光テープなど様々な転写テープを装着して使用することが可能であり、特定の転写テープに限定されるものではない。
【符号の説明】
【００８３】
１  ケース本体
１ａ  第１のケース部
１ｂ  第２のケース部
３ａ，３ｂ，３ｃ，３ｄ，３ｅ  シャフト
３ａ−１，３ｂ−１，３ｃ−１，３ｄ−１，３ｅ−１  嵌合穴
４  開口部
５  転写ヘッド
５ａ  ヘッド本体部
５ｂ  ガイド片
５ｃ  固定部
５ｃ−１  突起片
５ｄ  嵌込部
５ｄ−１  孔
６  供給リール
７  巻取リール
７ａ  テープガイド
８  ギア
１０  ヘッドカバー
１０ａ  カバー面
１０ｂ  ストッパ部
１０ｃ  側片部
１１  アーム部（弾性変形部）
１１ａ  基部
１２  段差部（付勢手段）
１２ａ  最大変形部
２１  アーム部（弾性変形部）
２２  面状部（付勢手段）
２２ａ  最大変形部
Ａ  回動軸
Ｔ  転写テープ
【図１】
0006598364.tif 000002
【図２】
0006598364.tif 000003
【図３】
0006598364.tif 000004
【図４】
0006598364.tif 000005
【図５】
0006598364.tif 000006
【図６】
0006598364.tif 000007
【図７】
0006598364.tif 000008
【図８】
0006598364.tif 000009
【図９】
0006598364.tif 000010
【図１０】
0006598364.tif 000011
【図１１】
0006598364.tif 000012
【図１２】
0006598364.tif 000013
【図１３】
0006598364.tif 000014